(57)【要約】【課題】放送受信機が放送波の受信状態が不良の場合に通信センターから放送用配信データを受ける構成において、通信コスト削減を図った放送用配信データの通信が可能な通信センター及び放送受信機並びにこれらを含む放送データ配信システムを得る。【解決手段】デジタル放送受信機１０３において、通信制御部３０７は、受信状態不良を指示する受信状態信号Ｓ３０５に起因して通信センター１０２からの放送用配信データの受信を指示する放送用配信データ要求信号Ｓ３０６ａを受けると、送信波１０９に替わる放送用配信データ要求を通信センター１０２に対して行う。この際、ＬＣＤ表示部３０４がＯＦＦ／ＯＮ状態に応じた映像データを除去する／除去しないを指示する配信データ条件要求信号Ｓ３０８に基づき、配信データ条件として映像データの除去の有無の指示を指定する。【選択図】図３
2007158644.tif 000002
【特許請求の範囲】
【請求項１】
所定の通信網を介して所定の放送受信機と通信可能な通信センターであって、
所定の放送局から送出される多重化された放送波を受信して放送データを生成する放送受信部と、
前記放送データに対し分離処理・再多重処理を実行して前記放送データに相当する放送用配信データを生成し、前記所定の放送受信機からの放送用配信データ要求に応答して、前記放送用配信データを前記所定の放送受信機に配信する配信データ生成部とを備え、
前記配信データ生成部は、前記放送用配信データ要求で指定された配信データ条件に基づき、内容の一部を削減した前記放送用配信データが生成可能なことを特徴する、
通信センター。
【請求項２】
請求項１記載の通信センターであって、
前記配信データ条件は映像データを除去の有無の指示を含み、
前記配信データ生成部は、前記配信データ条件が前記映像データの除去を指示する場合、前記再多重処理の際、映像データ部分を除去して前記放送用配信データを生成する、
通信センター。
【請求項３】
請求項１あるいは請求項２記載の通信センターであって、
前記配信データ条件は音声データレートの制限指示を含み、
前記配信データ生成部は、前記配信データ条件が音声データレートの制限を指示する場合、前記放送データが前記分離処理によって分離された音声データに対し前記配信データ条件で指示する制限内で音声データレートを変換した後、前記再多重処理を行う音声データレート変換機能を有する、
通信センター。
【請求項４】
請求項３記載の通信センターであって、
前記音声データレートはビットレートを含む、
通信センター。
【請求項５】
所定の通信網を介して所定の通信センターと通信可能な放送受信機であって、
所定の放送局から送出される多重化された放送波を受信して放送データを得、該放送データをデコードして第１の表示出力用データを生成する放送受信デコード部を備え、前記放送受信デコード部は前記放送波の受信状態の良否を検出する受信状態検出部を含み、
前記受信状態検出部が前記放送波の受信状態不良を指示する場合、前記所定の通信センターに対し、前記放送データに相当する放送用配信データの配信を指示する放送用配信データ要求を行い、前記所定の通信センターより前記放送用配信データを受信すると、該放送用配信データをデコードして第２の表示出力用データを生成する通信制御部と、
前記受信状態検出部の検出内容に基づき、前記第１及び第２の表示出力用データのうち一方のデータを選択し、選択した表示出力用データに基づき、音声出力及び映像出力を行う音声・映像出力部と、
前記音声・映像出力部において映像出力が行われているか否かを検出する表示出力検出部とをさらに備え、
前記通信制御部は、前記表示出力検出部が映像出力が行われていないことを検出した場合、映像データの除去を指示する配信データ条件を指定して前記放送用配信データ要求を行うことを特徴とする、
放送受信機。
【請求項６】
請求項５記載の放送受信機であって、
前記放送用配信データ受信時における音声データレートを設定する音声データレート設定部をさらに備え、
前記配信データ条件は前記音声データレート設定部で設定された音声データレートの制限指示を含む、
放送受信機。
【請求項７】
請求項６記載の放送受信機であって、
前記音声データレート設定部は、
所定の操作により、前記放送用配信データ受信時における音声データレートが設定可能な音声データレート設定用操作部を含む、
放送受信機。
【請求項８】
請求項６記載の放送受信機であって、
前記音声データレートはビットレートを含み、
前記音声データレート設定部は、少なくとも前記第２の表示出力用データに含まれる番組データを受け、該番組データから得られる番組種別に応じて前記ビットレートを設定する番組種別認識部を含む、
放送受信機。
【請求項９】
請求項２記載の通信センターと、請求項５記載の放送受信機と、前記所定の放送局と、前記所定の通信網を備えて構築された放送データ配信システム。
【請求項１０】
請求項３記載の通信センターと、請求項６記載の放送受信機と、前記所定の放送局と、前記所定の通信網とを備えて構築された放送データ配信システム。
【請求項１１】
請求項４記載の通信センターと、請求項８記載の放送受信機と、前記所定の放送局と、前記所定の通信網とを備えて構築された放送データ配信システム。
【発明の詳細な説明】
【技術分野】
【０００１】
この発明は、各々が地上デジタル放送等の放送波を放送局から受信可能で、かつ電話回線等による所定の通信網を介して互いに通信可能なデジタル放送受信機及び通信センター、並びに上記放送局、上記放送受信機及び上記通信センターから構成される放送データ配信システムに関するものである。
【背景技術】
【０００２】
従来の放送データ配信システムとして例えば特許文献１に開示されたシステムがある。この放送データ配信システムでは、通信機能を実装したデジタル放送受信機内でデジタル放送受信可否について判定し、受信不可と判断した場合、通信センターに放送データの配信要求し、その配信データ（放送用配信データ）を受信することで放送波受信不可エリアでもデジタル放送の受信を可能としている。
【０００３】
【特許文献１】特開２００４−２１５２１９号公報
【発明の開示】
【発明が解決しようとする課題】
【０００４】
特許文献１で開示された放送データ配信システムでは、携帯性を有するデジタル放送受信機を持って移動している際に、放送波受信不可エリアに移動した場合、通信費用を支払ってでも引き続き視聴したいユーザに対して放送用配信データが提供される。
【０００５】
しかしながら、ユーザの様々な使用環境を鑑みると、デジタル放送受信機において、満員電車等により映像を見ることができない状況での使用も考えられる。このような視聴状態においてはユーザは映像無しの配信データで事足りるにも拘わらず、通信センターは映像データを含んだ放送用配信データを配信しているため、デジタル放送受信機のユーザにとって不要なデータを配信していることになり、ユーザは無駄な通信コストを支払うことになるという問題点があった。
【０００６】
この発明は上記の問題点を解消するためになされたもので、放送波受信不可エリアにおいて、ユーザのデジタル放送受信機の視聴方法に合わせて、放送用配信データを再配信することが可能な通信センター、更にその通信センターに所望の再配信要求の指示できるデジタル放送受信機を得ることを目的としており、更にこの通信センター、デジタル放送受信機で構成される放送データ配信システムを提供することを目的とする。
【課題を解決するための手段】
【０００７】
この発明に係る請求項１記載の通信センターは、所定の通信網を介して所定の放送受信機と通信可能であり、所定の放送局から送出される多重化された放送波を受信して放送データを生成する放送受信部と、前記放送データに対し分離処理・再多重処理を実行して前記放送データに相当する放送用配信データを生成し、前記所定の放送受信機からの放送用配信データ要求に応答して、前記放送用配信データを前記所定の放送受信機に配信する配信データ生成部とを備え、前記配信データ生成部は、前記放送用配信データ要求で指定された配信データ条件に基づき、内容の一部を削減した前記放送用配信データが生成可能である。
【０００８】
この発明に係る請求項５記載の放送受信機は、所定の通信網を介して所定の通信センターと通信可能であり、所定の放送局から送出される多重化された放送波を受信して放送データを得、該放送データをデコードして第１の表示出力用データを生成する放送受信デコード部を備え、前記放送受信デコード部は前記放送波の受信状態の良否を検出する受信状態検出部を含み、前記受信状態検出部が前記放送波の受信状態不良を指示する場合、前記所定の通信センターに対し、前記放送データに相当する放送用配信データの配信を指示する放送用配信データ要求を行い、前記所定の通信センターより前記放送用配信データを受信すると、該放送用配信データをデコードして第２の表示出力用データを生成する通信制御部と、前記受信状態検出部の検出内容に基づき、前記第１及び第２の表示出力用データのうち一方のデータを選択し、選択した表示出力用データに基づき、音声出力及び映像出力を行う音声・映像出力部と、前記音声・映像出力部において映像出力が行われているか否かを検出する表示出力検出部とをさらに備え、前記通信制御部は、前記表示出力検出部が映像出力が行われていないことを検出した場合、映像データの除去を指示する配信データ条件を指定して前記放送用配信データ要求を行う。
【０００９】
この発明に係る請求項９記載の放送データ配信システムは、請求項２記載の通信センターと、請求項５記載の放送受信機と、前記所定の放送局と、前記所定の通信網を備えて構築されている。
【００１０】
この発明に係る請求項１０記載の放送データ配信システムは、請求項３記載の通信センターと、請求項６記載の放送受信機と、前記所定の放送局と、前記所定の通信網とを備えて構築されている。
【００１１】
この発明に係る請求項１１記載の放送データ配信システムは、請求項４記載の通信センターと、請求項８記載の放送受信機と、前記所定の放送局と、前記所定の通信網とを備えて構築されている。
【発明の効果】
【００１２】
この発明における請求項１記載の通信センターは、所定の放送受信機からの放送用配信データ要求で指定された配信データ条件に基づき、内容の一部を削減した放送用配信データとして得ることができるため、所定の放送受信機が必要とする最小限の放送用配信データを配信することにより、所定の放送受信機との通信コストの削減を図ることができる。
【００１３】
この発明における請求項５記載の放送受信機の通信制御部は、表示出力検出部が映像出力が行われていないことを検出した場合、映像データの除去を指示する配信データ条件を指定して放送用配信データ要求を行うため、不要な映像データを含み放送用配信データの受信を事前に制限して放送用配信データ量を必要最小限に抑えることにより、所定の通信センターとの通信コストの削減を図ることができる。
【００１４】
この発明における請求項９記載の放送データ配信システムは、放送受信機が放送局の放送波の受信が不良の場合、通信センターから放送用配信データを受けることにより、放送を継続して受信することができる。
【００１５】
この際、放送受信機が映像出力を行っていない場合、放送受信機からの放送用配信データ要求で指定された配信データ条件が映像データの除去を指示する。したがって、映像データ部分が除去された放送用配信データが通信センターから放送受信機に配信されるため、不要な映像データの配信を事前に制限して放送用配信データ量を必要最小限に抑えることにより、通信センター，放送受信機間の通信コストを削減することができる。
【００１６】
この発明における請求項１０記載の放送データ配信システムは、放送受信機からの配信データ条件で指示された制限内の音声データレートの音声データを含む放送用配信データが通信センターから配信されることにより、通信センター，放送受信機間の通信コストを削減することができる。
【００１７】
この発明における請求項１１記載の放送データ配信システムは、放送受信機からの配信データ条件で指示された制限内のビットレートの音声データを含む放送用配信データが通信センターから配信されることにより、通信センター，放送受信機間の通信コストを削減することができる。
【００１８】
加えて、放送受信機における番組種別認識部が番組種別に応じてビットレートを設定するため、音声データのビットレートに関し、番組種別に合致した放送用配信データが配信される。
【発明を実施するための最良の形態】
【００１９】
＜実施の形態１＞
図１はこの発明の実施の形態１である放送データ配信システムのシステム構成を示すブロック図である。実施の形態１の放送データ配信システム１は、放送局１０１、通信センター１０２及びデジタル放送受信機１０３の組合せを基本構成としている。
【００２０】
放送局１０１は放送アンテナ１０１ａから送信波１０９を出力（送出）することによりテレビ放送を行う。通信センター１０２は、放送局１０１の放送アンテナ１０１ａからの送信波１０９を直接あるいは中継用アンテナ１０５を介して受信可能で、電話通信、データ通信（ネットワーク）等の通信網１０４経由でのデジタル放送受信機１０３との通信を制御する。デジタル放送受信機１０３は通信センター１０２と同様、送信波１０９の受信、および電話通信、データ通信等の通信網１０４経由での通信センター１０２との通信が可能である。
【００２１】
図２は実施の形態１である放送データ配信システムの通信センター１０２の内部構成を示すブロック図である。通信センター１０２は放送アンテナ２０１ａ、放送データ格納部２０２、音声データ抽出部２０３、映像データ抽出部２０４、番組データ抽出部２０５、通信制御部２０６、通信アンテナ２０６ａ、データ配信部２０７及び多重制御部２０８を備えている。
【００２２】
放送受信部２０１は放送アンテナ２０１ａを介して、放送局１０１からの送信波１０９を受信し、放送データを生成して放送データ格納部２０２に格納する。具体的には、放送受信部２０１は図示省略したチューナにより放送波１０９を受信し、受信した信号が例えば地上デジタル放送の信号である場合、OFDM復調とデコード処理を実施し、音声データ抽出部２０３、映像データ抽出部２０４、番組データ抽出部２０５はそれぞれ放送音声データ、放送映像データ、PSI（Program Specific Information:番組特定情報）/SI（Service Information:番組配列情報）データ等の番組データを抽出する。
【００２３】
なお、正確には、まず、番組データ抽出部２０５にて番組データを抽出し、番組データ内に存在するＰＳＩデータ等に基づき音声データ、映像データを分離すべく、放送データの単位である、TS(Transport Stream)パケット単位に付随しているPID（Packet Identifier:パケットID番号）がデータ配信部２０７より音声データ抽出部２０３及び映像データ抽出部２０４に通知され、音声データ抽出部２０３及び２００４は通知されたPIDに基づき音声データ及び番組データを抽出する。
【００２４】
通信制御部２０６はデジタル放送受信機１０３と通信アンテナ２０６ａを介して接続され、デジタル放送受信機１０３との通信が可能である。データ配信部２０７は通信制御部２０６から指示された多重化内容に従って、放送データ（音声データ、映像データ及び番組データ）に対し多重制御部２０８にて再多重処理を行い、通信制御部２０６に再多重化したデータを転送する。ここでの多重化は必ずしも音声データ、映像データ、その他データ全て多重化するとは限らない。なお、再多重処理における多重化方式は放送局からの放送データで利用している多重化方式と同一とする。
【００２５】
このように、構成部２０２〜２０７からなる配信データ生成部は、放送受信部２０１で受信された放送データに対し、分離処理・再多重処理を実行して放送データに相当する放送用配信データを生成する。
【００２６】
図３は実施の形態１の放送データ配信システム１におけるデジタル放送受信機１０３の内部構成を示すブロック図である。
【００２７】
デジタル放送受信機１０３は放送受信デコード部３０１、放送アンテナ３０１ａ、表示出力部３０２、スピーカ３０３、ＬＣＤ表示部３０４、受信不可通知部３０６、通信制御部３０７、通信アンテナ３０７ａ及び映像表示制御部３０８を基本構成とする。
【００２８】
放送受信デコード部３０１は放送アンテナ３０１ａを介して放送波１０９を受信し、放送映像（データ）、放送音声（データ）、番組データを分離し、デコードして放送音声データＤ１１、放送映像データＤ１２及び番組データＤ１３を出力する。
【００２９】
ここでのデコードとは放送映像、放送音声については符号化データを復号化するまでのことを意味し、番組データについては、番組データを基に生成した画面表示データに変換することを意味する。
【００３０】
表示出力部３０２では放送音声データＤ１１に基づきスピーカ３０３に音声出力し、放送映像データＤ１２に基づきＬＣＤ表示部３０４に映像出力する。さらに、表示出力部３０２は、必要に応じて番組データＤ１１３（画面表示データ）を放送映像にオーバーラップさせてＬＣＤ表示部３０４に出力する。
【００３１】
放送受信デコード部３０１は内部に受信状態検出部３０５を有し、受信状態検出部３０５は送信波１０９の受信状態の良否を検出し、受信中に放送波１０９の受信が困難（不良）であると判定すると、受信状態不良を指示する受信状態信号Ｓ３０５を受信不可通知部３０６に出力する。なお、ここで放送波１０９の受信が困難（不良）であるという判定をするためのパラメータとしては、(a) 放送波の受信電力、(b) C/N（Carrier to Noise ratio）、(c) BER（Bit Error Rate）、(d) PER（Packet Error Rate）等が挙げられる。具体的には、４つのパラメータ(a) 〜(d)において、所定の基準値を下回る（パラメータ(a) ，(b) ）あるいは上回る（パラメータ(c) ，(d) ）ときに受信困難と判定する。なお、「PER」とは、TSパケットでリードソロモン訂正符号においてエラー訂正不可になるパケット数の割合を意味する。また、TSパケットは実データ=188バイト、RS（リードソロモン符号）=16バイトで構成されている。
【００３２】
また、受信状態検出部３０５は放送受信デコード部３０１が送信波１０９の受信状態が良となり、放送受信デコード部３０１から放送音声データＤ１１、放送映像データＤ１２及び番組データＤ１３の出力開始を確認すると、放送データ出力開始状態を指示する受信状態信号Ｓ３０５を受信不可通知部３０６に出力する。
【００３３】
受信不可通知部３０６は受信状態不良を指示する受信状態信号Ｓ３０５を受けると、通信制御部３０７に対し、通信センター１０２からの放送用配信データの受信（代替受信）を指示する放送用配信データ要求信号Ｓ３０６ａを出力するとともに、表示出力部３０２には通信制御部３０７からの出力データＤ２１〜Ｄ３２がデータ源であることを指示するデータ源情報信号Ｓ３０６ｂを表示出力部３０２に出力する。
【００３４】
通信制御部３０７は放送用配信データ要求信号Ｓ３０６ａが代替受信を指示するとき、映像表示制御部３０８より配信データ条件を確認すべく、映像データ確認要求信号Ｓ３０７を映像表示制御部３０８に出力する。なお、通信制御部３０７から受信不可通知部３０６への矢印は受信確認の信号方向を意味する。
【００３５】
映像表示制御部３０８は映像データ確認要求信号Ｓ３０７に応答して、ＬＣＤ表示ＯＦＦ検出部３０９よりＬＣＤ表示部３０４の表示状態を確認し、ＬＣＤ表示部３０４がＯＦＦ状態のとき映像データの除去を指示し、ＬＣＤ表示部３０４がＯＮ状態のとき映像データの除去しないことを指示する配信データ条件要求信号Ｓ３０８を通信制御部３０７に出力する。
【００３６】
通信制御部３０７は代替受信を指示する放送用配信データ要求信号Ｓ３０６ａを受けると、通信アンテナ３０７ａを介して通信センター１０２から送信波１０９に替わる放送用配信データ要求を行う。この際、配信データ条件要求信号Ｓ３０８に基づき、配信データ条件として映像データの除去の有無の指示を併せて要求する。
【００３７】
そして、通信制御部３０７では通信センター１０２から受信した送信波１０９に替わる放送用配信データをデコードし、配信音声データＤ２１、配信映像データＤ２２、音声映像外データＤ２３として表示出力部３０２に出力する。ここでのデコードとは放送受信デコード部３０１と同内容のデコードを意味する。
【００３８】
なお、配信音声データＤ２１、配信映像データＤ２２及び音声映像外データＤ２３は、それぞれ放送音声データＤ１１、放送映像データＤ１２及び番組データＤ１３に対応したデータとなる。
【００３９】
表示出力部３０２は、放送用配信データの受信時は、データ源情報信号Ｓ３０６ｂの指示に基づき、データＤ１１〜Ｄ１３に代えてデータＤ２１〜Ｄ２３をデータ源として、表示出力処理を行う。処理内容はデータＤ１１〜Ｄ１３に代えてデータＤ２１〜Ｄ２３が用いられる点を除き同様に行われる。
【００４０】
このように、表示出力部３０２では受信不可通知部３０６からのデータ源情報信号Ｓ３０６ｂによる指示に従い、放送受信デコード部３０１からのデータＤ１１〜Ｄ１３及び通信制御部３０７からのデータＤ２１〜Ｄ２３のうち、一方のデータに基づきスピーカ３０３への音声出力及びＬＣＤ表示部３０４への映像出力を行う。
【００４１】
図４は実施の形態１の放送データ配信システム１のデジタル放送受信動作内容を示すフローチャートである。以下、同図を参照しつつ、放送データ配信システム１のデジタル放送受信動作を説明する。
【００４２】
まず、ステップＳ１において、受信状態検出部３０５はデジタル放送受信状態の良否を判定し、ステップＳ２において、デジタル放送受信状態不良と判定した場合は受信状態不良を指示する受信状態信号Ｓ３０５を受信不可通知部３０６に出力しステップＳ３に移行する。一方、ステップＳ２において、デジタル放送受信状態良好と判定した場合はステップＳ８に移行する。なお、ここでは、説明の都合上、デジタル放送受信状態不良が発生し、ステップＳ３に移行したと仮定する。
【００４３】
ステップＳ３において、受信状態不良を指示する受信状態信号Ｓ３０５を受けた受信不可通知部３０６は、代替受信を指示する放送用配信データ要求信号Ｓ３０６ａ信号を通信制御部３０７に通知する。すると、通信制御部３０７は映像表示制御部３０８に対して配信データ条件を確認すべく映像データ確認要求信号Ｓ３０７を出力し、現時点における映像データの必要性を確認する。
【００４４】
そして、ステップＳ４において、映像表示制御部３０８内のＬＣＤ表示ＯＦＦ検出部３０９はＬＣＤ表示部３０４の表示状態を確認し、ＬＣＤ表示部３０４がＯＦＦ状態（ステップＳ４でＹＥＳ）のとき、ステップＳ５で映像データを除去することを指示する配信データ条件要求信号Ｓ３０８を出力し、ＬＣＤ表示部３０４がＯＮ状態（ステップＳ４でＮＯ）のとき、ステップＳ６で映像データを除去しないことを指示する配信データ条件要求信号Ｓ３０８する。
【００４５】
そして、ステップＳ７において、通信制御部３０７は送信波１０９に替わる放送用配信データの配信を要求を通信アンテナ３０７ａから通信センター１０２に対して行う。この際、配信データ条件要求信号Ｓ３０８に従い配信データ条件（映像データの除去の有無）を併せて指定する。
【００４６】
デジタル放送受信機１０３からの放送用配信データの配信要求を受けた、通信センター１０２内の通信制御部２０６は、映像データ付きあるいは映像データ無しを指示する配信データ条件に基づく多重処理をデータ配信部２０７に要求し、多重制御部２０８によって多重化された放送データ相当の放送用配信データを通信アンテナ２０６ａから通信網１０４を介してデジタル放送受信機１０３の通信アンテナ３０７ａに通信する。
【００４７】
したがって、デジタル放送受信機１０３は、ＬＣＤ表示部３０４をＯＦＦ状態であり、映像情報を必要としない場合、通信センター１０２から必要最小限なデータ量の映像無し配信データを受信することができるため、通信センター１０２，デジタル放送受信機１０３間の通信コストの削減を図ることができる。
【００４８】
その後、ステップＳ８において、表示出力部３０２は、通信制御部３０７による通信センター１０２からの配信データのデコード結果である、出力データＤ２１〜Ｄ２３がデータ源であることを指示するデータ源情報信号Ｓ３０６ｂの指示に基づき、データＤ１１〜Ｄ１３に代えてデータＤ２１〜Ｄ２３をデータ源として、表示出力処理を行い、ステップＳ１に戻る。
【００４９】
以降、ステップＳ２でデジタル放送受信状態良好（ＹＥＳ）となるまで、ステップＳ１〜Ｓ８の処理が繰り返され、送信波１０９に換えて通信センター１０２から放送用配信データに基づくデジタル放送代替受信処理が継続される。
【００５０】
そして、ステップＳ２でデジタル放送受信状態良好が検出されると、受信状態検出部３０５からの受信状態信号Ｓ３０５の指示内容が放送受信状態不良から放送受信状態良好に変更され、ステップＳ９に移行する。
【００５１】
ステップＳ９において、受信状態検出部３０５によって直前まで通信センター１０２からの放送用配信データの受信中であるか（ＹＥＳ）否か（ＮＯ）が判断される。本仮定では、直前は通信センター１０２からの送信用配信データの受信中であったため、ステップＳ１０に移行する。
【００５２】
ステップＳ１０において、受信不可通知部３０６は、受信状態信号Ｓ３０５の放送受信可能状態に応答して、出力データＤ１１〜Ｄ１３がデータ源であることを指示するデータ源情報信号Ｓ３０６ｂを出力する。すると、表示出力部３０２は、データＤ２１〜Ｄ２３に代えてデータＤ１１〜Ｄ２１をデータ源として、表示出力処理を行う。
【００５３】
その後、ステップＳ１１において、受信不可通知部３０６は、放送用配信データ要求信号Ｓ３０６ａが放送データ出力開始状態を指示するとき、通信制御部３０７に放送用配信データの配信終了を指示する放送用配信データ要求信号Ｓ３０６ａを通信制御部３０７に与える。すると、通信制御部３０７は通信アンテナ３０７ａを介して放送用配信データの配信停止要求を出力することにより、デジタル放送受信機１０３，「通信センター１０２間の通信を切断し、通常の送信波１０９に基づくデジタル放送受信状態に戻す。
【００５４】
以降、ステップＳ２でデジタル放送受信状態不良（ＹＥＳ）となるまで、ステップＳ１Ｓ２，Ｓ９（ステップＳ９で必ずＮＯとなるため）の処理が繰り返され、送信波１０９に基づく通常のデジタル放送受信処理が継続される。
【００５５】
＜実施の形態２＞
図５はこの発明による実施の形態２である放送データ配信システムにおける通信センター２００の内部構成を示すブロック図である。なお、放送データ配信システムの全体構成は通信センター１０２が通信センター２００、デジタル放送受信機１０３が後述するデジタル放送受信機３００Ａに置き換わった点を除き、図１で示した実施の形態１の構成と同様である。
【００５６】
同図に示すように、内部構成は実施の形態１の通信センター１０２に音声データレート変換部２１１が追加されているだけであるため、音声データレート変換部２１１を中心に説明する。音声データレート変換部２１１はデジタル放送受信機３００Ａより、配信データ条件に指示された後述する音声データレート制限内に音声データレートを下げるレート変換処理を行う。
【００５７】
ここで音声データレートを下げる方法として例えばサンプリングレートを落とすことや、ステレオ音声をミキシングしてモノラル音声にすることで音声データレートを下げること等が挙げられる。この音声データレートを下げる仕組みについてはこれらを別々に組み合わせても、両方を組み合わせてもどちらを利用しても良いものとする。なお、音声データレート変換部２１１では音声デコーダ機能、エンコーダ機能を実装しており、実際にサンプリングレートを下げること、音声ミキシングをすることは放送音声データを一度デコードし、PCM（Pulse Code Modulation）データとして音声データを取り扱い、その後エンコードし直すことで実施する。また、このエンコード処理の際にビットレート制限をかけることでデータレートを制限することも可能である。
【００５８】
図６は実施の形態２における放送データ配信システムのデジタル放送受信機３００Ａの内部構成を示すブロック図である。同図に示すように、実施の形態１のデジタル放送受信機１０３に音声データレート制御部３２０及び音声データレート設定用操作部３２１が追加されて点が異なっているため、以下ではこれらの構成部３２０，３２１について説明する。
【００５９】
音声データレート設定用操作部３２１には操作用表示部（ＬＣＤ表示部３０４を用いてもよく、別の表示画面でも良い）、ボタン等の操作手段（通常具備しているボタンを用いても良い）を有しており、ユーザは、音声データレート設定用操作部３２１を用いて、通信センター２００から得られる放送用配信データの音声データレートを予め設定することができる。
【００６０】
音声データレート制御部３２０は音声データレート設定用操作部３２１で設定された音声データレートに従い、放送用配信データの受信時における音声データレートを規定した音声データレート制限信号Ｓ３２０を通信制御部３０７に出力する。
【００６１】
なお、音声データレート設定とは音声種別の制限を実施することを含んでおり、単純に伝送レートの制限をするだけではなく、例えばサンプリング周波数の制限をする、ステレオ音声をモノラルにするといった内容もここには含まれる。
【００６２】
このような通信センター２００及びデジタル放送受信機３００Ａを有する実施の形態２のデジタル放送受信システムは、図４のフローチャートで示した実施の形態１のデジタル放送受信システムと同様な受信動作を行う。以下、異なるステップＳ７の処理についてのみ述べる。
【００６３】
そして、ステップＳ７において、通信制御部３０７は送信波１０９に替わる放送用配信データの配信を要求を通信アンテナ３０７ａから通信センター１０２に対して行う。この際、配信データ条件要求信号Ｓ３０８に従い映像データの除去の有無と、音声データレート制限信号Ｓ３２０に従い音声データレート制限とを併せて指示した配信データ条件を指定する。
【００６４】
デジタル放送受信機３００Ａから配信データ条件が指定された放送用配信データの要求を受けた、通信センター２００内の通信制御部２０６は、配信データ条件の指示内容に基づき、映像データ付きあるいは映像データ無しの指示に応じた再多重処理をデータ配信部２０７に要求するとともに、音声データレート制限内の変換指示を音声データレート変換部２１１に与える。
【００６５】
その結果、通信センター２００は、音声データレート変換部２１１によって音声データレートが変換された音声データを含み、多重制御部２０８によって再多重化された放送データ相当の放送用配信データを通信アンテナ２０６ａから通信網１０４を介してデジタル放送受信機３００Ａの通信アンテナ３０７ａに伝達する。
【００６６】
したがって、実施の形態２のデジタル放送受信システムは、実施の形態１と同様、映像情報を必要としない場合、通信センター１０２から必要最小限なデータ量の映像無し配信データを受信することができるため、通信センター１０２との通信コストの削減を図ることができる。
【００６７】
加えて、音声データレート制御部３２０及び音声データレート設定用操作部３２１によって指示された音声データレート制限に従い、放送用配信データの受信時における音声データレートを下げることができるため、配信データ量のさらなる削減を図ることにより、より一層の通信コストを削減可能にする効果を奏する。
【００６８】
さらに、実施の形態２のデジタル放送受信機３００Ａは、音声データレート設定用操作部３２１を用いてユーザが操作を行うことにより音声データレートが設定可能であるため、音声データレートに関し、ユーザの要求に合致した放送用配信データを受信することができる。
【００６９】
＜実施の形態３＞
図７はこの発明による実施の形態３であるデジタル放送受信システムにおける放送データ配信システムのデジタル放送受信機３００Ｂの内部構成を示すブロック図である。なお、放送データ配信システムの全体構成は通信センター１０２が実施の形態２と同様の通信センター２００（図５参照）、デジタル放送受信機１０３がデジタル放送受信機３００Ｂに置き換わった点を除き、図１で示した実施の形態１の構成と同様である。
【００７０】
同図に示すように、実施の形態１のデジタル放送受信機１０３に音声データレート制御部３２０及び番組ジャンル認識部３３０が追加されて点が異なっているため、以下ではこれらの構成部３２０，３３０について説明する。
【００７１】
図８は番組ジャンル認識部３３０によるビットレート設定動作を示すフローチャートである。以下、同図を参照して、番組ジャンル認識部３３０のビットレート設定処理動作を説明する。
【００７２】
まず、ステップＳ３１において、通常受信時は番組データＤ１３から、代替受信（放送用配信データの受信）時は音声映像外データＤ２３から番組情報を取得して番組ジャンルを認識する。なお、通常受信時の番組データＤ１３からも番組情報を取得するのは、デジタル放送受信状態良好から状態不良の切り替え直後においても、処理が正確に実行されるようにするためである。
【００７３】
なお、番組情報の取得は、例えば番組データ（Ｄ１３，Ｄ２３）の中のSIと呼ばれるセクションデータであるEIT（Event Information Table）中のコンテント記述子内の[content_nibble_level1]の番組ジャンルを認識する等によって行われる。
【００７４】
そして、ステップＳ３２で取得した番組情報からえられた番組ジャンルが直前の番組ジャンルから更新されているか（ＹＥＳ）、否か（ＮＯ）を判断し、更新されていない場合はビットレートは変更の必要なしと判断しステップＳ３１に戻り、更新されている場合はステップＳ３３に移行する。
【００７５】
ステップＳ３３において番組ジャンルを判定して、ステップＳ３４でビットレート制限実施の有無を決定し、ビットレート制限を実施する場合（ＹＥＳ）はステップＳ３５に移行し、ビットレート制限を実施しない場合（ＮＯ）はステップＳ３１に戻る。
【００７６】
例えば、音質を下げても構わない音質低下許容ジャンルを予め設定しておき、ステップＳ３１で認識した番組ジャンルが音質低下許容ジャンルに該当する場合はステップＳ３４がＹＥＳとなり、該当しない場合はステップＳ３４がＮＯとなる。なお、音質低下許容ジャンルの設定は実施の形態２の音声データレート設定用操作部３２１相当な設定部を用いたユーザ操作によって予め設定しておく等が考えられる。
【００７７】
ステップＳ３５において、番組ジャンル認識部３３０は音声データレート制御部３２０にビットレート制限を指示するビットレート制限信号Ｓ３３０を出力する。音声データレート制御部３２０はビットレート制限信号Ｓ３３０がビットレート制限を指示するとき、実施の形態２と同様、上記ビットレート制限を指示する音声データレート制限信号Ｓ３２０を通信制御部３０７に出力する。
【００７８】
このような通信センター２００及びデジタル放送受信機３００Ｂを有する実施の形態３のデジタル放送受信システムは、図４のフローチャートで示した実施の形態１のデジタル放送受信システムと同様な受信動作を行う。以下、異なるステップＳ７の処理についてのみ述べる。
【００７９】
ステップＳ７において、通信制御部３０７は送信波１０９に替わる放送用配信データの配信を要求を通信アンテナ３０７ａから通信センター１０２に対して行う。この際、配信データ条件として、配信データ条件要求信号Ｓ３０８に従い映像データの除去の有無を指示するとともに、音声データレート制限信号Ｓ３２０に従い音声データのビットレートとを併せて指示する。
【００８０】
デジタル放送受信機３００Ｂから配信データ条件を指定した放送用配信データの要求を受けた、通信センター２００内の通信制御部２０６は、配信データ条件の指示内容に基づき、映像データ付きあるいは映像データ無しの再多重処理をデータ配信部２０７に要求するとともに、ビットレート制限内の変換指示を音声データレート変換部２１１に与える。
【００８１】
その結果、通信センター２００は、音声データレート変換部２１１によってビットレートが変換された音声データを含み、多重制御部２０８によって再多重化された放送データ相当の放送用配信データを通信アンテナ２０６ａから通信網１０４を介してデジタル放送受信機３００Ｂの通信アンテナ３０７ａに伝達する。
【００８２】
したがって、実施の形態３のデジタル放送受信システムは、実施の形態１及び実施の形態２と同様、映像情報を必要としない場合、通信センター１０２から必要最小限なデータ量の映像無し配信データを受信することができるため、通信センター１０２との通信コストの削減を図ることができる。
【００８３】
加えて、音声データレート制御部３２０及び番組ジャンル認識部３３０によって、音質低下許容番組ジャンルの代替受信時における音声ビットレートを自動的に下げることができるため、ユーザの嗜好に適合させながら放送用配信データ量のさらなる削減を図ることにより、より一層の通信コストを削減可能にする効果を奏する。
【００８４】
なお、本実施の形態では、デジタル放送を対象に説明したが、受信状態検出部３０５相当の構成を設けることを条件にアナログ放送にも同様に対応することができる。
【図面の簡単な説明】
【００８５】
【図１】この発明の実施の形態１である放送データ配信システムのシステム構成を示すブロック図である。
【図２】図１で示した放送データ配信システムの通信センターの内部構成を示すブロック図である。
【図３】図１で示した放送データ配信システムのデジタル放送受信機の内部構成を示すブロック図である。
【図４】実施の形態１の放送データ配信システムのデジタル放送受信動作内容を示すフローチャートである。
【図５】この発明による実施の形態２である放送データ配信システムにおける通信センターの内部構成を示すブロック図である。
【図６】実施の形態２における放送データ配信システムのデジタル放送受信機の内部構成を示すブロック図である。
【図７】この発明による実施の形態３であるデジタル放送受信システムにおける放送データ配信システムのデジタル放送受信機の内部構成を示すブロック図である。
【図８】図７で示した番組ジャンル認識部によるビットレート設定動作を示すフローチャートである。
【符号の説明】
【００８６】
１  放送データ配信システム、１０１  放送局、１０２，２００  通信センター、１０３，３００Ａ，３００Ｂ  デジタル放送受信機、１０４  通信網、２０６  通信制御部、２１１  音声データレート変換部、３０２  表示出力部、３０４  ＬＣＤ表示部、３０５  受信状態検出部、３０６  受信不可通知部、３０８  映像表示制御部、３０９  ＬＣＤ表示ＯＦＦ検出部、３２０  音声データレート制御部、３２１  音声データレート設定部、３３０  番組ジャンル認識部。
【図１】
2007158644.tif 000003
【図２】
2007158644.tif 000004
【図３】
2007158644.tif 000005
【図４】
2007158644.tif 000006
【図５】
2007158644.tif 000007
【図６】
2007158644.tif 000008
【図７】
2007158644.tif 000009
【図８】
2007158644.tif 000010